(57)【要約】【解決手段】  可変構造式のかんじき及びスキー装置のための装置と方法が開示されている。本装置は、雪上を踏破するための底部を有する基部部材１０２と、基部部材１０２に回転可能に連結されている複数のウイング１１０を含んでおり、ウイング１１０は、スキー構造状態と、ウイングが外向き横方向に伸張しているかんじき構造状態との間で切り換えることができる。更に、本装置は、複数のウイングをかんじき構造状態に維持するように作られている第１ロック装置１０７と、複数のウイング１１０をスキー構造状態に維持するように作られている第２ロック装置９０２を含んでいる。本方法は、基部部材１０２に連結されている複数のウイング１１０を外向き横方向に回転させて、かんじき構造状態を形成する段階と、複数のウイング１１０を内向きに回転させて、ウイング１１０が雪上を滑走するための表面を形成するスキー構造状態を形成する段階を含んでいる。【選択図】          図２
2007518458.tif 000002
【特許請求の範囲】
【請求項１】
かんじき構造状態とスキー構造状態の間で構造を変えることのできる装置において、
雪上を踏破するための底部を有する基部部材と、
前記部材に回転可能に連結されている複数のウイングであって、前記ウイングが雪上を滑走するための表面を形成するスキー構造状態と、前記ウイングが外向き横方向に伸張するかんじき構造状態との間で切り換えることができる、複数のウイングと、
前記複数のウイングを前記かんじき構造状態に固定的に維持するように作られている第１ロック装置と、
前記複数のウイングを前記スキー構造状態に固定的に維持するように作られている第２ロック装置と、を備えている装置。
【請求項２】
前記複数のウイングが前記スキー構造状態にあるとき、各ウイングは、雪上又は氷上で回転するための外側エッジを形成する、請求項１に記載の装置。
【請求項３】
前記複数のウイングが前記スキー構造状態にあるとき、前記底部は、前記複数のウイングと共に実質的に連続する表面を形成する、請求項１に記載の装置。
【請求項４】
前記基部部材と回転可能に接続されている結合装置を更に備えており、前記結合装置は、ユーザーを前記基部部材に連結するよう作られ、爪先部分と踵部分を備えている、請求項１に記載の装置。
【請求項５】
前記結合装置を前記基部部材と回転可能に連結するように作られ、且つ前記基部部材の面を通って回転し、ユーザーが歩行できるようにするため爪先及び踵部分が自由に動けるようにするように作られている、連結軸を更に備えている、請求項１に記載の装置。
【請求項６】
前記軸は、前記結合装置を前記基部部材に解除可能に連結する、請求項５に記載の装置。
【請求項７】
前記複数のウイングが前記かんじき構造状態にあるとき、雪又は氷をグリップするように作られた複数の牽引装置を更に備えている、請求項１に記載の装置。
【請求項８】
少なくとも１つの前記牽引装置は、前記爪先部分と連結し、前記基部部材の面を通って回転するように作られている、請求項７に記載の装置。
【請求項９】
前記牽引装置はアイゼンである、請求項８に記載の装置。
【請求項１０】
前記結合装置は、雪で覆われた土地の上でスキーをやり易くするために、前記踵部分を前記基部部材と固定的に連結するように作られたロック装置を更に備えている、請求項１に記載の装置。
【請求項１１】
前記基部部材は、実質的に単一の材料で成形されている、請求項１に記載の装置。
【請求項１２】
前記材料は、軽量で剛性の高いポリマーを含んでいる、請求項１１に記載の装置。
【請求項１３】
前記複数のウイングを回転させるように作られている捻りばねを更に備えている、請求項１に記載の装置。
【請求項１４】
前記捻りばねは、前記複数のウイングを約１２０°から１８０°の範囲で回転させるように作られている、請求項１３に記載の装置。
【請求項１５】
前記捻りばねは、前記複数のウイングを約１５０°回転させるように作られている、請求項１４に記載の装置。
【請求項１６】
取り外し可能に連結されている前方及び後方部を更に備えている、請求項１に記載の装置。
【請求項１７】
かんじき構造状態とスキー構造状態に構造を変えることのできる装置において、
雪上を踏破するための底部を有する基部部材と、
前記部材に回転可能に連結されている複数のウイングであって、前記ウイングが雪上を滑走するための表面を形成するスキー構造状態と、前記ウイングが外向き横方向に伸張するかんじき構造状態との間で切り換えることができる、複数のウイングと、
前記複数のウイングを前記かんじき構造状態に固定的に維持するように作られている第１ロック装置と、
前記複数のウイングを前記スキー構造状態に固定的に維持するように作られている第２ロック装置と、
前記基部部材と回転可能に接続されている結合装置であって、ユーザーを前記基部部材に連結するように作られ、爪先部分と踵部分を備えている、結合装置と、
前記複数のウイングが前記かんじき構造状態にあるとき、雪又は氷をグリップするように作られている複数の牽引装置と、を備えている装置。
【請求項１８】
前記複数のウイングが前記スキー構造状態にあるとき、各ウイングは、雪上又は氷上で回転するための外側エッジを形成する、請求項１７に記載の装置。
【請求項１９】
前記複数のウイングが前記スキー構造状態にあるとき、前記底部は、前記複数のウイングと共に実質的に連続する表面を形成する、請求項１７に記載の装置。
【請求項２０】
前記複数のウイングを回転させるように作られている捻りばねを更に備えている、請求項１７に記載の装置。
【請求項２１】
取り外し可能に連結されている前方及び後方部を更に備えている、請求項１７に記載の装置。
【請求項２２】
装置を、かんじき構造状態とスキー構造状態に構成するための方法において、
基部部材に連結されている複数のウイングを外向き横方向に回転させて、かんじき構造状態を形成し、前記複数のウイングを内向きに回転させて、前記ウイングが雪上を滑走するための表面を形成するスキー構造状態を形成する段階と、
前記複数のウイングを前記かんじき構造状態に固定的に維持する段階と、
前記複数のウイングを前記スキー構造状態に固定的に維持する段階と、から成る方法。
【発明の詳細な説明】
【技術分野】
【０００１】
本発明は、冬季スポーツ用具に、より具体的には、可変構造式のかんじき及びスキー装置に関する。
【背景技術】
【０００２】
かんじき（ｓｎｏｗｓｈｏｅ）を履いて歩くことは、奥地の探検、運動及び娯楽を提供してくれる人気のある冬季スポーツである。同様に、滑降スキーとスノーボードも、多くの人が同じ理由で楽しんでいる。一日の内に、奥地愛好家は、普通は目的地までかんじきで歩き、スキー又はスノーボードで戻ってくる。不都合なことに、愛好家は、かんじき歩き用の装備と、スキー又はスケートボード用の装備の両方を携帯しなければならない。必要な道具の重量と荷造りの手間が増えることは、この活動の明らかに不利な点である。しかしながら、多くの愛好家は、リフト券の価格を考慮し、スキーリゾートの人ごみを避け、人跡未踏の雪を探すために、余分な道具を荷造りする手間に耐えている。
【０００３】
重量の増加と余分な道具の経費に対する解決策は、かんじき用の道具とスキー用の道具を組み合わせることである。先行技術によるスキーとかんじきを組み合わせたものは、回転可能で長さがスキーと実質的に等価なウイング付で形成されている。ウイングは、スキーの各側に取り付けられており、一対のヒンジの回りに上向きに回転する。ウイングが上向きの位置にあるとき、装置はスキーとして機能し、反対に、ウイングがスキーの基部と実質的に平行なときは、かんじきとして機能する。装置は、意図したように機能するが、ウイングをたたんだ状態では、その寸法のため、ユーザーの脚と接触する。
【０００４】
その様なウイングは、ユーザーの運動の範囲を制限するのみならず、装置の上に雪が積もることにもなる。更に、かんじき歩きは、ユーザーの足のふくらみが、かんじきの上面の平面を通って回転し、従って足のつま先が雪の表面を掴むか、雪の表面に突っ込むようになっている場合に最も効果的である。これは、このようなウイング付きスキーの設計では不可能である。最後に、足の旋回点は、かんじきの前方から、かんじきの長さの三分の一付近に位置しているのが好都合である。かんじきの中には、この足の配置と軸回転性の特徴が設計に組み込まれていて、丘を歩くか又は登るのに、それほどエネルギーが要らないようになっているものもある。更に、突き出ている前方部分が短いほど、機動性が良くなる。
【０００５】
かんじき／スキーの組み合わせに関する問題に対する先行技術による別の解決策は、かんじきの表面に隣接してスキーとして機能する短い滑走面を含んでいる装置である。スキーの表面からかんじきの表面に切り換えるには、装置を取り外し、装置をエッジの上に９０°回転させ、装置を再び取り付けなければならない。この装置も、スキーモードでは、ユーザーの脚に接触し、ユーザーの運動の範囲を制限する。更に、この型式のかんじき／スキーは、伝統的なかんじきに見られるような、雪の表面の牽引性又はグリップを助ける、ユーザーの足がかんじきの面を通って回転することができないようになっている。
【０００６】
必要とされているのは、かんじきとスキー又はスノーボードの両方を装備する追加の経費と重量の問題を克服する装置である。更に、必要とされているのは、歩行と登山をやり易くするために、ユーザーの足が装置の面を通って回転できるようにしながら、かんじきとスキーを組み合わせる装置である。更に、望ましくは装置を取り外す必要無しに、容易に切り換えることのできる装置である。
【発明の開示】
【課題を解決するための手段】
【０００７】
本発明は、技術の最新の状態、具体的には、目下利用できるかんじき／スキーの装置では未だ完全には解決されていない、当該技術における問題と必要性に応えて、開発されてきた。従って、本発明は、先に論じた当該技術における欠点の多く又は全てを克服する可変構造式のかんじき及びスキー装置を提供するために開発された。
【０００８】
本装置は、雪上を踏破するための底部を有する基部部材と、前記部材に回転可能に連結されている複数のウイングとを含んでおり、前記ウイングは、ウイングが雪上を滑走するための表面を形成するスキー構造状態と、ウイングが外向きに側方に伸張するかんじき構造状態との間で切り換えることができるようになっている。更に、本装置は、複数のウイングをかんじき構造状態に維持するように作られている第１ロック装置と、複数のウイングをスキー構造状態に維持するように作られている第２ロック装置とを含んでいる。
【０００９】
別の実施形態では、複数のウイングがスキー構造状態にあるときは、各ウイングは、雪又は氷上で回転するための外側エッジを形成し、複数のウイングがスキー構造状態にあるときは、底部は、複数のウイングと一緒に実質的に連続している表面を形成している。本装置は、更に、基部部材と回転可能に接続されている結合装置を含んでおり、結合装置は、ユーザーを基部部材に連結するように作られており、爪先部分と踵部分を備えている。
【００１０】
或る実施形態では、爪先部分は、基部部材と回転可能に連結されており、基部部材の面を通って回転し、ユーザーが歩行できるように、踵部分が自由に動けるように作られている。スキーをやり易くするため、本装置は、雪で覆われた土地の上をスキーし易くするために、踵部分を基部部材と固定的に連結するように作られたロックピンを備えている。
【００１１】
別の実施形態では、本装置は、複数のウイングがかんじき構造状態にあるときは、雪又は氷をグリップするように作られた複数の牽引装置を含んでいる。更に、基部部材は、限定するわけではないが、軽量で剛性のあるポリマーのような実質的に単一の材料で成形されている。更に、本装置は、複数のウイングを約１２０°から１８０°の間の範囲で回転させるように作られた捻りばねを備えている。本装置は、更に、取り外し可能に連結された前方及び後方部を含んでいる。
【００１２】
本発明の方法は、更に、装置をかんじき構造状態とスキー構造状態の間で構成するために呈示されている。開示している実施形態の方法は、実質的に、説明した装置の作動に関して先に提示した機能を実行するのに必要な段階を含んでいる。或る実施形態では、本方法は、部材に連結されている複数のウイングを外向き横方向に回転させて、かんじき構造状態を形成する段階と、複数のウイングを内向きに回転させて、ウイングが雪上を滑走するための表面を形成するスキー構造状態を形成する段階とを含んでいる。
【００１３】
本方法は、更に、複数のウイングをかんじき構造状態に維持する段階と、複数のウイングをスキー構造状態に維持する段階と、複数のウイングがスキー構造状態にあるときは、雪又は氷の上で回転させる段階とを含んでいる。
【００１４】
本明細書を通して、特徴、利点又は同様の言語に言及しているが、これは、本発明によって実現できる特徴及び利点の全てが、本発明の何れか１つの実施形態に備えられていなければならないか又は備えられていると示唆しているわけではない。むしろ、特徴及び利点に言及している言語は、或る実施形態に関連付けて記載されている特定の特徴、利点又は特性が、本発明の少なくとも１つの実施形態に含まれていることを意味しているものと理解頂きたい。従って、特徴及び利点の議論、及び同様の言語は、本明細書を通して、必ずと言うわけではないが、同じ実施形態のことを言及している。
【００１５】
更に、本発明の、記載されている特徴、利点及び特性は、１つ又は複数の実施形態において、適していればどの様な方法で組み合わせることもできる。当業者には理解頂けるように、本発明は、特定の実施形態の特定の特徴又は利点の１つ又はそれ以上が無くても実施することができる。別の例では、追加の特徴及び利点が、本発明の全ての実施形態に存在しない或る実施形態で認められている。
【００１６】
本発明のこれらの特徴と利点は、以下の説明と特許請求項の範囲から更に明らかになるであろうし、以下に記載する本発明の実施例によってお分かり頂けるであろう。
【発明を実施するための最良の形態】
【００１７】
本発明の利点を容易に理解頂けるように、先に概括した本発明を、添付図面に示している具体的な実施形態を参照しながら更に具体的に説明する。これらの図面は、本発明の代表的な実施形態を示しているに過ぎず、発明の範囲を限定するものと考えるべきではないことを理解頂いた上で、添付図面を使用して、追加的な特性と詳細事項について記載し、説明する。
【００１８】
本明細書を通して、「１つの実施形態」「或る実施形態」又は同様の言い方は、その実施形態に結び付けて説明している特定の特徴、構造又は特性が、本発明の少なくとも１つの実施形態に含まれていることを意味している。従って、本明細書を通して、「１つの実施形態で」「或る実施形態で」という句及び同様の言語は、必ずというわけではないが、全て同じ実施形態のことである。
【００１９】
更に、本発明の記載している特徴、構造又は特性は、１つ又は複数の実施形態において、適していればどの様な方法で組み合わせることもできる。しかしながら、当業者には理解頂けるように、本発明は、特定の細部の１つ又はそれ以上が無くても、別の方法、構成要素、材料などでも、実施することができる。別の例では、本発明の態様が曖昧になるのを回避するため、周知の構造、材料又は作動は図示せず又は説明しない。
【００２０】
図１は、本発明による、スキー構造状態の、可変構造式のかんじき及びスキー装置１００の１つの実施形態を示す斜視図である。１つの実施形態では、装置１００は、前方部１０４と後方部１０６を有する基部部材１０２を備えている。前方及び後方部１０４、１０６は、ロック装置１０７を使って、基部部材１０２に取り外し可能に連結されている。別の実施形態では、ロック装置１０７は、複数の穴と係合して前方及び後方部１０４、１０７を基部部材１０２に固定するように作られた複数のシャフトを有する、ばね負荷式又は引張式の機構を備えている（図５及び図９参照）。
【００２１】
装置１００は、更に、複数のウイング１１０を受け入れて（図２参照）、各ウイング１１０をヒンジ１０８の回りに回転させることができるように作られている複数のヒンジ１０８を含んでいる。更に、複数の捻りばねピン１１２は、ウイング１１０をヒンジ１０８に連結し、各ウイング１１０を外向き横方向に伸張させ（図２参照）、内向きに手動で回転させロック装置１０７でスキー構造状態にロックするまでは、かんじき構造状態に保持する。
【００２２】
装置１００は、実質的に１つの材料で形成されている。１つの実施形態では、材料は、限定するわけではないが、ポリウレタンのような耐衝撃性が高い熱硬化性プラスチックを含んでいる。代わりに、装置１００は、複数の材料で形成されていて、例えば、基部部材１０２は軽量アルミニウムで形成され、複数のウイング１１０はプラスチック材料で形成されていてもよい。
【００２３】
図２は、本発明による、かんじき構造状態の、可変構造式のかんじき及びスキー装置１００の代替実施形態を示す斜視図である。１つの実施形態では、本装置は、ウイング１１０と結合装置を収容するための取付板２０１を備えている。取付板は、爪先部分２０２と踵部分２０３を含んでいる。別の実施形態では、取付板２０１は、基部部材１０２と実質的に同じ材料で形成されている。取付板２０１は、上向きに伸張し、結合装置を固定するためのスロット２０６を有する側部２０４を含んでいる。
【００２４】
１つの実施形態では、取付板２０１は、枢支点２０８の回りに軸回転するように作られている。枢支点２０８は、取付板２０１を通過し、取付板２０１を基部部材１０２に固定するように作られている軸（図示せず）を備えている。枢支点２０８は、更に、爪先部分２０２が基部部材１０２の面を通過し、踵部分２０３がユーザーの自然な歩行運動の場合のように上下するように、取付板２０１が回転できるようにしている。
【００２５】
図３は、本発明による基部部材１０２の１つの実施形態を示す上面図である。１つの実施形態では、前方及び後方部１０４、１０６は、図１に関連して先に述べたように、基部部材１０２に連結されている。ロック装置１０７は、瞬間解除タブ３０２とシャフト３０４を含んでいる。瞬間解除タブを押圧すると、ロック装置１０７が基部部材１０２から解除される。このような瞬間解除システムは、当業者には周知であり、従ってここでは詳しく論じない。
【００２６】
図４は、本発明による、かんじき構造状態の、基部部材１０２の１つの実施形態を示す底面斜視図である。１つの実施形態では、基部部材１０２は、複数の牽引装置４０２を備えている。牽引装置４０２は、取付板２０１の底面４０４に接続されている。牽引装置４０２は、基部部材１０２と実質的に同じ材料か、又は軽量のチタン合金などのような金属ベースの材料で形成されている。牽引装置４０２は、ナットとボルトのような締結装置を使って取付板２０１に接続されている。代替実施形態では、牽引装置４０２と取付板２０１は、単一のユニットとして形成されている。
【００２７】
別の実施形態では、取り外し可能な牽引装置４０２ａが装備されている。牽引装置４０２ａは、牽引装置４０２ａから垂直に伸張し、ウイングヒンジ４１２の表面と係合してウイング１１０がかんじき構造状態にロックされるように作られているタブ４１０を含んでいる。取り外し可能な牽引装置４０２ａは、ロック装置１０７を収容して、ロック装置１０７によって所定の位置に保持されるように作られた穴（図示せず）を有している。
【００２８】
ウイング１１０の底面は、各ウイング１１０の底面から外向きに伸張する複数のリッジ４０４を含んでいる。複数のリッジは、かんじき構造状態にあるとき、基部部材１０２の牽引性を増すように作られている。
【００２９】
別の実施形態では、基部部材１０２は、ロック装置１０７のシャフトを受け入れるための複数の穴４０６を備えている。各ウイング１１０は複数のタブ４０８を備えており、各タブ４０８は、ウイング１１０が内向きに回されスキー構造状態を形成したときに、基部部材１０２の穴４０６と整列する穴（図示せず）を有している。穴４０６がタブ４０８の穴と整列すると、ロック装置１０７のシャフトは、前方又は後方部１０４、１０６を基部部材に固定し、各ウイング１１０をスキー構造状態に固定するために、基部部材１０２及びウイング１１０の両方と係合する。
【００３０】
図５は、本発明による、スキー構造状態にある複数のウイング１１０の１つの実施形態を示す底面斜視図である。１つの実施形態では、各ロック装置１０７は複数のシャフト５０２を備えており、各シャフト５０２は、１つのウイング１１０の１つのタブ４０８の穴と係合するように作られている。挿入されたロック装置１０７は、複数のウイング１１０をスキー構造状態に維持し、牽引装置が雪のような表面と接触しないようにしている。
【００３１】
図６は、本発明による、かんじき構造状態の１つの実施形態を示す上面図である。図示の実施形態では、複数のウイング１１０が基部部材１０２から横方向外向きに伸張して、かんじき構造状態を形成している。ウイング１１０の伸張部は、装置１００の底面積を効果的に増し、ユーザーが、伝統的なかんじきの場合と同じく、雪と氷で覆われた土地を踏破できるようにしている。別の実施形態では、雪と氷で覆われた土地を踏破し易くするため、かんじき構造状態６００の間は、前方及び／又は後方部を取り外すことができる。
【００３２】
図７は、本発明による、スキー構造状態７００の１つの実施形態を示す底面図である。１つの実施形態では、スキー構造状態７００の装置１００は、ウイングの底面７０２と、前方及び後方部の底面７０４、７０６を含んでいる。スキー構造状態の底面７０２、７０４、７０６は、雪と氷で覆われた土地を滑走するための、摩擦係数が低く、実質的に連続しているスキー表面を形成している。
【００３３】
底面７０２、７０４、７０６は、伝統的なスキー及びスノーボードと同様の方式でワックスが掛けられている。別の実施形態では、スキー構造状態７００の装置１００は、氷又は雪の上で回転できるように略凹形状のエッジ７０８を含んでいる。エッジ７０８は、スキーやスノーボードと同様に金属で形成されている。エッジ７０８は、装置の各側を、前方部１０４から後方部１０６まで伸張している。代わり替に、エッジ７０８は、ウイング１１０の底面の部分だけに形成してもよい。
【００３４】
図８は、本発明による、かんじき構造状態にある、結合装置８０２を有する装置の１つの実施形態を示す側面図である。１つの実施形態では、結合装置８０２は、調整可能な足首ストラップ８０４と、調整可能な爪先ストラップ８０６を備えている。更に、結合装置８０２は、ふくらはぎ支持アッセンブリ８０８を含んでいる。結合装置８０２は、ユーザーの足を固定するためのラチェットストラップを有する標準的なスノーボード結合システムを備えている。代わりに、結合装置８０２は、伝統的なロッキング滑降又はクロスカントリースキーの結合装置を備えていてもよい。
【００３５】
図９は、本発明による装置の前方部１０４の１つの実施形態を示す前方斜視図である。１つの実施形態では、基部部材１０２は、複数の第２ロック装置又はウイングロックタブ９０２を備えている。ウイングロックタブ９０２は、ヒンジ１０８に連結されており、ウイング１１０を外向きにかんじき構造状態へと回転させるときに、ウイング１１０のスロット（図示せず）にパチンと嵌め込むように作られている。
【００３６】
別の実施形態では、前方部１０４は、前方部１０４から上向きに伸張し、ロック装置１０７を受け入れるための開口９０４を有しているプレート９０３を含んでいる。基部部材１０２は、同様に、開口（図示せず）を有し、第１プレート９０３の表面と係合するように作られている同様の寸法のプレート９０５を有している。
【００３７】
ロック装置１０７は、プレート９０３、９０５の開口９０４を通過し、基部部材１０２の穴４０６と係合するように作られている。先に述べたように、ロック装置は、前方部１０４、基部部材１０２及びウイング１１０のタブ４０８と同時に係合する。ロック装置１０７の瞬間解除タブ３０２も、開口９０４を通過し、プレート９０５と係合するように作られている。
【００３８】
同様に、ロック装置１０７は、ウイング１１０と取付板の踵２０３の両方を係合して固定しながら、後方部１０６を基部部材１０２に連結する。取付板２０２の踵部２０３を固定すると、ユーザーは、滑降スキーヤーと同様の方式でスキーできるようになる。
【００３９】
図１０は、本発明による取付板２０２の１つの実施形態を示す上面図である。１つの実施形態では、取付板２０２は、ほぼ靴の寸法に形成される。取付板２０２は、異なる寸法のユーザーに適応するため、異なる寸法に形成することができる。軸１００２は（図２に関連して先に述べたように）、取付板２０２を貫通し、取付板２０２が軸１００２の回りに軸回転できる状態で、取付板２０２を基部部材１０２に固定するように作られている。
【００４０】
図１１は、本発明による取付板２０２の側面図である。別の実施形態では、取付板２０２は、結合装置８０２を固定するための複数の穴１１０２を備えている。複数の穴８０２は、ユーザーが、自分の靴の寸法に合わせて結合装置８０２を位置決めできるようにしている。図示のように、枢支点２０８は、ユーザーの足（図示せず）のふくらみのほぼ下に位置している。しかしながら、枢支点２０８は、ユーザーが快適になるように調整することができる。
【００４１】
以下の概略的なフローチャートは、論理的なフローチャートとして一般的に記載されている。而して、図示の順序と標示されたステップは、本方法の１つの実施形態を示している。図示の方法の１つ又は複数のステップ又はその一部と、機能、論理又は効果の点で等価な他のステップ及び方法も考えられる。更に、使用されているフォーマットと記号は、本方法の論理的ステップを説明するために提供されたものであり、本方法の範囲を限定するものではない。フローチャートには、様々な矢印と線を使用しているが、対応する方法の範囲を限定するものではないと理解頂きたい。実際、幾つかの矢印又は他の接続部は、本方法の論理的な流れだけを表示するために使用されている。例えば、或る矢印は、図示の方法の列挙したステップの間の、特定されていない待機期間を示している。更に、特定の方法が発生する順序は、対応する図示のステップの順序に厳格に従っていてもよいし、いなくてもよい。
【００４２】
図１２は、本発明による、かんじきスキー装置を構成するための或る方法１２００の１つの実施形態を示す概略的なフローチャートである。本方法１２００は、１２０２で始まり、かんじきスキー装置１００が提供される。１つの実施形態では、かんじきスキー装置１００を提供する段階１２０２は、実質的に同じ材料から装置１００を射出成形する段階を含んでいる。材料は、耐衝撃性が高いプラスチックである。代わりに、装置１００を提供する段階１２０２は、装置を金属ベースの複合材のような複合材料から形成する段階を含んでいてもよい。
【００４３】
ユーザーは、装置１００を、スキー構造状態で使用するか、かんじき構造状態で使用するかを決定する１２０６。ユーザーは、スキー構造状態を選択する場合１２０６、ウイングを内向きに回して１２０８、実質的に連続しているスキー表面を形成し、ロック装置１０７を穴４０６の中に入れる１２０９。
【００４４】
替わりに、ユーザーがかんじき構造状態を選択する場合１２０６、ユーザーは、瞬間解除タブ３０２を押してウイング１１０を解除することによって、ロック装置１０７を外す１２１０。捻りばねピン１１２は、ウイング１１０を外向きに回転させて１２１１、かんじき構造状態を形成する。ユーザーは、次に、基部部材１０２に取り付けられている前方及び後方部１０４、１０６を外すか否か決定する。ユーザーが、雪と氷で覆われた土地の踏破を終われば１２１２、本方法１２００は終了する。
【００４５】
本発明は、その精神又は本質的な特徴から逸脱すること無く、他の具体的な形態で実現することもできる。上に記述した実施形態は、全ての点において、説明を目的としており限定を課するものではない。本発明の範囲は、従って、上記説明ではなく、特許請求の範囲に示されている。請求項と等価な意味及び範囲に入る全ての変更は、本発明の範囲に包含されるものとする。
【図面の簡単な説明】
【００４６】
【図１】本発明による、スキー構造状態の、可変構造式のかんじき及びスキー装置の１つの実施形態を示す斜視図である。
【図２】本発明による、かんじき構造状態の、可変構造式のかんじき及びスキー装置の代替実施形態を示す斜視図である。
【図３】本発明による基部部材の１つの実施形態を示す上面図である。
【図４】本発明による基部部材の１つの実施形態を示す底面斜視図である。
【図５】本発明による複数のウイングの１つの実施形態を示す底面斜視図である。
【図６】本発明によるかんじき構造の１つの実施形態を示す上面図である。
【図７】本発明によるスキー構造の１つの実施形態を示す底面図である。
【図８】本発明による、かんじき構造状態にある、結合装置を有している装置の１つの実施形態を示す側面図である。
【図９】本発明による装置の前方部の１つの実施形態を示す前方斜視図である。
【図１０】本発明による取付板の１つの実施形態を示す上面図である。
【図１１】本発明による取付板の側面図である。
【図１２】本発明による、かんじきスキー装置を構造設定するための方法の１つの実施形態を示す概略的フローチャートである。
【図１】
2007518458.tif 000003
【図２】
2007518458.tif 000004
【図３】
2007518458.tif 000005
【図４】
2007518458.tif 000006
【図５】
2007518458.tif 000007
【図６】
2007518458.tif 000008
【図７】
2007518458.tif 000009
【図８】
2007518458.tif 000010
【図９】
2007518458.tif 000011
【図１０】
2007518458.tif 000012
【図１１】
2007518458.tif 000013
【図１２】
2007518458.tif 000014
【国際調査報告】
2007518458.tif 000015
2007518458.tif 000016